(57)【要約】【課題】  貯湯槽に蓄熱している蓄熱量の大小を、利用者が現に利用している給湯を持続する場合に利用可能な混合温水量で表示する。【解決手段】  給湯装置に備えられた利用可能混合温水量産出手段が、給湯装置の貯湯槽に蓄えられている蓄熱量と、利用者が設定した給湯設定温度と、水道水の温度に基づいて、風呂、シャワー、給湯栓等の温水利用箇所で利用可能な混合温水量を算出する。利用可能混合温水量算出手段が算出した利用可能混合温水量は、リモコン２３の表示器２３ａで表示される。【選択図】  図４
2006046713.tif 000002
【特許請求の範囲】
【請求項１】
温水を貯湯しておく貯湯槽と、
貯湯槽に蓄熱している蓄熱量を算出する蓄熱量算出手段と、
温水利用箇所に給湯する混合温水の設定温度を記憶している給湯設定温度記憶手段と、
貯湯槽からの温水と水道水を混合し、給湯設定温度記憶手段に記憶している給湯設定温度に調温した混合温水を送り出すミキシングユニットと、
水道水の温度を検知する水道水温度検知手段と、
蓄熱量算出手段で算出した蓄熱量と、給湯設定温度記憶手段に記憶している給湯設定温度と、水道水温度検知手段で検知した水道水温度に基づいて、温水利用箇所で利用可能な混合温水量を算出する利用可能混合温水量算出手段と、
利用可能混合温水量算出手段で算出した利用可能混合温水量を表示する表示手段と、
を備える給湯装置。
【請求項２】
前記蓄熱量算出手段は、所定時間間隔で蓄熱量を算出し、
前記利用可能混合温水量算出手段は、蓄熱量算出手段が所定時間間隔で算出した蓄熱量に基づいて、当該所定時間間隔で温水利用箇所で利用可能な混合温水量を算出し、
前記表示手段は、利用可能混合温水量算出手段が所定時間間隔で算出した利用可能混合温水量を表示することを特徴とする請求項１の給湯装置。
【請求項３】
温水利用箇所に給湯する混合温水の流量を記憶している給湯流量記憶手段と、
利用可能混合温水量算出手段で算出した利用可能混合温水量と、給湯流量記憶手段に記憶している混合温水の流量から、給湯設定温度に調温した混合温水を温水利用箇所に給湯可能な時間を算出する利用可能時間算出手段と、
が付加されており、
利用可能時間算出手段で算出した利用可能時間を表示手段に表示することを特徴とする請求項１の給湯装置。
【請求項４】
温水利用箇所に給湯している混合温水の流量を検知する給湯量検知手段が付加され、
前記利用可能時間算出手段は、温水利用箇所に給湯している間は、給湯流量記憶手段に記憶されている流量に代えて、給湯量検知手段が検知した流量に基づいて、温水利用箇所に給湯可能な時間を算出することを特徴とする請求項３の給湯装置。
【請求項５】
前記蓄熱量算出手段は、所定時間間隔で蓄熱量を算出し、
前記利用可能時間算出手段は、蓄熱量算出手段が所定時間間隔で算出した蓄熱量に基づいて、当該所定時間間隔で温水利用箇所に給湯可能な時間を算出し、
前記表示手段は、利用可能時間算出手段が所定時間間隔で算出した利用可能時間を表示することを特徴とする請求項３または４のいずれかの給湯装置。
【発明の詳細な説明】
【技術分野】
【０００１】
本発明は、発電に伴って発生する発電熱や太陽熱によって加熱した温水を貯湯槽に貯湯しておき、必要時に、温水利用箇所に給湯する装置に関する。詳しくは、温水利用箇所で利用可能な混合温水量を表示する給湯装置に関する。
【背景技術】
【０００２】
発電熱や太陽熱で加熱した温水を貯湯槽に貯湯しておき、必要な時に、温水利用箇所に給湯する装置が開発されている。
【０００３】
この種の給湯装置は、温水を貯湯しておく貯湯槽と、貯湯槽からの温水と水道水を混合して給湯設定温度に調温された混合温水を送り出すミキシングユニットを備えている。給湯設定温度は利用者が設定することができ、利用者が設定した温度が給湯設定温度記憶手段に記憶されている。
貯湯槽に貯湯している温水の温度が、給湯設定温度記憶手段に記憶している給湯設定温度よりも高い場合は、ミキシングユニットで低温の水道水と混合する。ミキシングユニットは、給湯設定温度に調温された混合温水を送り出す。
貯湯槽に貯湯している温水の温度が給湯設定温度以下となっても給湯を持続できるようにするために、給湯装置に補助熱源機を組込むことが多い。
通常は、貯湯槽、ミキシングユニット、補助熱源機の順で配置されている。貯湯槽に貯湯している温水の温度が給湯設定温度よりも高い場合は、ミキシングユニットで水道水と混合することによって給湯設定温度に調温された混合温水を送り出す。この場合は、給湯設定温度に調温された混合温水が補助熱源機を素通りし、給湯設定温度に調温された混合温水が温水利用箇所に供給される。貯湯槽に貯湯している温水の温度が給湯設定温度よりも低くなると、ミキシングユニットから送り出される温水（冷水であることもある）を補助熱源機で加熱し、補助熱源機で給湯設定温度に加熱した温水を温水利用箇所に供給する。
【０００４】
この種の給湯装置は、利用者が省エネルギ効果を期待して設置する場合が多い。特許文献１に、蓄熱しておいた温水がどれだけ給湯に貢献しているのかの程度を表示する技術が開示されている。この技術では、貯湯槽に貯湯している貯湯温水温度と水道水温度との温度差を、給湯設定温度と水道水温度との温度差で除した値（到達率）を算出して表示する。貯湯温水温度が高いためにミキシングユニットで混合する温水量が少なくてすむうちは大きな到達率が表示され、貯湯温水温度が低下したためにミキシングユニットで混合する温水量が増大すると小さな到達率が表示される。
【特許文献１】特開２００３−４３０２号公報
【発明の開示】
【発明が解決しようとする課題】
【０００５】
上記特許文献１の技術では、貯湯槽に貯湯されている温水が、混合温水の給湯にどの程度貢献しているのかを把握できる点では優れている。
しかしながら利用者は、より直接的に、貯湯槽に貯湯している温水を利用することによって、どれだけの湯量の混合温水を利用できるのか、あるいはどれだけの時間だけ利用できるのかを知りたいという要求も持っている。貯湯槽に蓄熱している蓄熱量が同じであっても、給湯設定温度を下げれば多量の混合温水が利用可能であり、水道水温度が高ければ多量の混合温水が利用できる。利用者は、しばしば熱量という抽象的次元の量でなく、水量または継続使用可能時間という時間の単位で蓄熱量を知りたいという要求がある。水量または時間の単位で蓄熱量を知ることができれば、蓄熱量の範囲内で混合温水を有効に利用する方法を検討しやすくなり、省エネルギに有用な混合温水の利用方法を立案しやすくなる。
【０００６】
本発明では、貯湯槽に蓄熱している蓄熱量の大小を、利用者が現に利用している給湯を持続する場合に利用可能な混合温水量で表示する。利用可能な混合温水量は給湯設定温度の調整によって変動し、給湯設定温度を下げれば利用可能な混合温水量は増大し、給湯設定温度を上げれば利用可能な混合温水量は減少する。利用者は、蓄熱量の範囲内で利用可能な混合温水量を知ることができ、省エネルギに有用な混合温水の利用方法を立案しやすくなる。
【課題を解決するための手段】
【０００７】
（課題を解決するための一つの手段）
本発明の給湯装置は、温水を貯湯しておく貯湯槽と、貯湯槽に蓄熱している蓄熱量を算出する蓄熱量算出手段と、温水利用箇所に給湯する混合温水の設定温度を記憶している給湯設定温度記憶手段と、貯湯槽からの温水と水道水を混合して給湯設定温度記憶手段に記憶している給湯設定温度に調温された混合温水を送り出すミキシングユニットと、水道水の温度を検知する水道水温度検知手段と、蓄熱量算出手段で算出した蓄熱量と、給湯設定温度記憶手段に記憶している給湯設定温度と、水道水温度検知手段で検知した水道水温度に基づいて、温水利用箇所で利用可能な混合温水量を算出する利用可能混合温水量算出手段と、利用可能混合温水量算出手段で算出した利用可能な混合温水量を表示する表示手段とを備える。
蓄熱量算出手段は、様々な手法で構成することができ、例えば貯湯槽の深さ方向の複数個所に温水温度計測手段が用意されていれば、各温水温度計測手段に対応する深さにおける貯湯容積に温水温度を乗じて得た蓄熱量を深さ方向に合計することで貯湯槽全体の蓄熱量を算出することができる。あるいは、ある時点で算出した蓄熱量と、その後に貯湯槽から送り出した温水温度と温水量から、残されている蓄熱量を算出してもよい。
【０００８】
（その作用と効果）
貯湯槽には、発電熱や太陽熱等で加熱した温水が貯湯され、温水の熱量が蓄熱されている。
貯湯槽の蓄熱量は、種々の手法で算出できる。最も単純な一例を上げれば、容積が３０リットルの貯湯槽に平均温度が７０℃の温水が貯湯されており、水道水温度が１０℃であれば、（７０−１０）×３０＝１８００（リットル×℃）の量が、水道水温度から加熱されて蓄えられた蓄熱量として算出することができる。
蓄熱量が算出されていれば、水道水温度と給湯設定温度から、給湯可能な混合温水量を算出することができる。
例えば、水道水温度が１０℃であり、給湯設定温度が４０℃であれば、ミキシングユニットでは、貯湯槽からの温水と、それと同量の水道水を混合することができ、６０リットルの混合温水を給湯可能であることが判明する。すなわち、水道水温度と給湯設定温度の差が３０℃の場合、上記蓄熱量からは、１８００÷（４０−１０）＝６０リットルが給湯可能であることが判明する。水道水温度が１０℃であり、給湯設定温度が５０℃であれば、ミキシングユニットでは、貯湯槽からの温水と、それと半量の水道水を混合することができ、４５リットルの混合温水を給湯可能であることが判明する。すなわち、水道水温度と給湯設定温度の差が４０℃の場合、上記蓄熱量からは、１８００÷（５０−１０）＝４５リットルが給湯可能であることが判明する。水道水温度が１０℃であり、給湯設定温度が３０℃であればミキシングユニットでは、貯湯槽からの温水と、それと倍量の水道水を混合することができ、９０リットルの混合温水を給湯可能であることが判明する。すなわち、水道水温度と給湯設定温度の差が２０℃の場合、上記蓄熱量からは、１８００÷（３０−１０）＝９０リットルが給湯可能であることが判明する。
本発明の給湯装置では、算出された給湯可能な混合温水量が表示される。先に例示した場合、給湯設定温度が３０℃であれば９０リットル給湯可能であることが表示され、給湯設定温度が４０℃であれば６０リットル給湯可能であることが表示され、給湯設定温度が５０℃であれば４５リットル給湯可能であることが表示される。給湯設定温度が設定され直せば、利用可能な混合温水量が算出されなおし、新たに算出された利用可能量が表示される。
本発明の給湯装置によると、現に利用している給湯設定温度で給湯を継続する場合に利用可能な混合温水量を直接的に知ることができる。利用者は、すでに蓄熱済みの範囲内で給湯を必要とする仕事を終えるため方法を立案することが可能となる。
【０００９】
（課題を解決するための好ましい手段）
蓄熱量算出手段は、所定時間間隔で蓄熱量を算出し、利用可能混合温水量算出手段は、蓄熱量算出手段が所定時間間隔で算出した蓄熱量に基づいて、当該所定時間間隔で温水利用箇所で利用可能な混合温水量を算出し、表示手段は、利用可能混合温水量算出手段が所定時間間隔で算出した利用可能混合温水量を表示することが好ましい。
【００１０】
（その作用と効果）
貯湯槽に蓄えられている蓄熱量は、例えば回収熱量が加えられると増加し、混合温水が利用されると減少する。蓄熱量算出手段が、例えば秒単位や分単位の所定の時間間隔で蓄熱量を算出し、利用可能混合温水量算出手段がその蓄熱量基づいて利用可能混合温水量を算出すれば、表示手段では、刻々と変化する蓄熱量に伴って変化する利用可能混合温水量を表示することができる。
【００１１】
（課題を解決するための好ましい手段）
温水利用箇所に給湯する混合温水の流量を記憶している給湯流量記憶手段と、利用可能混合温水量算出手段で算出した利用可能混合温水量と、給湯流量記憶手段に記憶している混合温水の流量から、給湯設定温度に調温した混合温水を温水利用箇所に給湯可能な時間を算出する利用可能時間算出手段とが付加されていることが好ましい。
また、利用可能時間算出手段で算出した利用可能時間を表示手段に表示することが好ましい。
【００１２】
（その作用と効果）
例えばシャワーで給湯する混合温水の流量が１０（リットル／分）と記憶されている場合、利用可能混合温水量が６０（リットル）であれば、６０÷１０＝６（分）が給湯可能な利用可能時間である。給湯栓で給湯する混合温水の流量が６(リットル／分）と記憶されている場合、利用可能混合温水量が９０（リットル）であれば、９０÷６＝１５（分）が給湯可能な利用可能時間である。表示器でこの表示がされれば、利用者はシャワーを６分以内、または給湯栓の利用を１５分以内にとどめておく等、省エネルギ対策をとりやすくなる。
【００１３】
（課題を解決するための好ましい手段）
温水利用箇所に給湯している混合温水の流量を検知する給湯量検知手段が付加されていることが好ましい。また、利用可能時間算出手段は、温水利用箇所に給湯している間は、給湯流量記憶手段に記憶されている流量に代えて、給湯量検知手段が検知した流量に基づいて、温水利用箇所に給湯可能な時間を算出することが好ましい。
【００１４】
（その作用と効果）
例えばシャワーで給湯する実際の流量は、利用者が栓を開閉する程度によって決まる。この流量は、給湯流量記憶手段に記憶されている流量と異なる場合がある。したがって、温水利用箇所に給湯している間は、給湯量検知手段が検知した実際の流量に基づいて、温水利用箇所に給湯可能な時間を算出すれば、より精度の高い時間を算出することができる。
【００１５】
（課題を解決するための好ましい手段）
蓄熱量算出手段は、所定時間間隔で蓄熱量を算出し、利用可能時間算出手段は、蓄熱量算出手段が所定時間間隔で算出した蓄熱量に基づいて、当該所定時間間隔で温水利用箇所に給湯可能な時間を算出し、表示手段は、利用可能時間算出手段が所定時間間隔で算出した利用可能時間を表示することが好ましい。
【００１６】
（その作用と効果）
蓄熱量算出手段が、所定の時間間隔で蓄熱量を算出し、利用可能時間算出手段がその蓄熱量基づいて利用可能時間を算出すれば、表示手段では、刻々と変化する蓄熱量に伴って変化する利用可能時間を表示することができる。
【発明を実施するための最良の形態】
【００１７】
以下に発明を実施するための最良の形態を列記する。
（形態１）  表示器は、利用可能混合温水量が風呂の浴槽容積を超えるときは、浴槽容積を減じた値で、その他の給湯利用箇所の利用可能時間を併せて表示する。
【実施例】
【００１８】
本発明の実施例に係る給湯装置１０、および給湯装置１０に熱を供給する発電ユニット１１０について、図面を参照しながら説明する。
最初に、発電ユニット１１０について説明する。図１に示されているように、発電ユニット１１０は、改質器１１２、燃料電池１１４、熱交換器１１６、１１８、熱媒放熱器１２０、熱媒三方弁１２２、それらを接続する経路等を備えている。
改質器１１２は、バーナ１３１を備えている。バーナ１３１が作動して熱を発生すると、改質器１１２は炭化水素系のガスから水素ガスを生成する。改質器１１２には、燃焼ガス経路１２６の一端が接続されている。燃焼ガス経路１２６の他端は外部に開放されている。燃焼ガス経路１２６は、熱交換器１１６を通過している。バーナ１３１が発生する燃焼ガスは、燃焼ガス経路１２６を流れ、熱交換器１１６で温度が低下してから外部に排出される。循環経路１２８も熱交換器１１６を通過している。循環経路１２８は、循環復路１２８ａと、循環往路１２８ｂから構成され、給湯装置１０と接続されている。循環経路１２８と給湯装置１０の接続状態については、後述にて詳細に説明する。循環経路１２８は、温水を流通させる。循環経路１２８を流れる温水は、熱交換器１１６を通過すると燃焼ガス経路１２６を流れる燃焼ガスによって加熱され、温度が上昇する。
【００１９】
燃料電池１１４は、複数のセルを有している。燃料電池１１４と改質器１１２は、水素ガス供給経路１２１によって接続されている。改質器１１２で生成された水素ガスは、水素ガス供給経路１２１を流れて燃料電池１１４に供給される。燃料電池１１４は、改質器１１２から供給された水素ガスと、空気中の酸素とを反応させて発電を行う。燃料電池１１４は、発電すると発電熱を発生する。発電された電力は、外部（例えば、家屋）に供給される。
熱媒循環経路１２４は、燃料電池１１４、熱交換器１１８、リザーブタンク１２５、熱媒ポンプ１２７、熱媒三方弁１２２を経て燃料電池１１４に戻る経路を形成している。熱媒循環経路１２４を流れる熱媒としては、例えば、純水を用いることができる。燃料電池１１４の下流側の熱媒循環経路１２４には、熱媒温度センサ１１７が装着されている。熱媒温度センサ１１７は、熱媒循環経路１２４を流れる熱媒の温度を検出する。熱媒温度センサ１１７の検出信号は、給湯装置１０に設けられているコントローラ２１（後述する）に出力される。
熱媒三方弁１２２は、１つの入口１２２ａと、２つの出口１２２ｂ、１２２ｃを備えている。熱媒三方弁１２２は、その内部流路を切替えることによって、入口１２２ａと出口１２２ｂを連通させたり、入口１２２ａと出口１２２ｃを連通させたりする。
熱媒三方弁１２２の出口１２２ｂと、出口１２２ｃの下流側の熱媒循環経路１２４とを接続する冷却経路１２９が設けられている。冷却経路１２９の途中には、熱媒放熱器１２０が装着されている。熱媒放熱器１２０に隣接して、熱媒冷却ファン１１９が設けられている。熱媒冷却ファン１１９が回転すると、空気が熱媒放熱器１２０に吹付けられ、冷却経路１２９を流れる熱媒を冷却する。
改質器１１２、燃料電池１１４、バーナ１３１、熱媒三方弁１２２、熱媒ポンプ１２７、熱媒冷却ファン１１９は、コントローラ２１によって制御される。
【００２０】
燃料電池１１４が作動すると、熱媒三方弁１２２の入口１２２ａと出口１２２ｃが連通されるとともに、熱媒ポンプ１２７が運転される。熱媒ポンプ１２７が運転されると、熱媒循環経路１２４を熱媒が循環する。熱媒循環経路１２４を熱媒が循環すると、燃料電池１１４から発電熱が回収される。熱媒によって回収された発電熱は、熱媒とともに熱交換器１１８まで運ばれ、循環経路１２８を流れる温水を加熱する。
熱媒温度センサ１１７が検出した熱媒温度が高くなりすぎると、熱媒三方弁１２２の入口１２２ａと出口１２２ｂが連通される。また、同時に熱媒冷却ファン１１９が回転する。熱媒三方弁１２２の入口１２２ａと出口１２２ｂが連通されると、熱媒は冷却経路１２９に流入し、熱媒放熱器１２０を通過する。熱媒は、熱媒放熱器１２０を通過することによって冷却される。熱媒冷却ファン１１９が熱媒放熱器１２０に空気を吹付けているので、熱媒放熱器１２０は高い効率で放熱する。熱媒の温度が低下すると、熱媒三方弁１２２の入口１２２ａと出口１２２ｃが再び連通される。このようにして熱媒三方弁１２２の内部流路の切替えが繰返され、熱媒の温度は所定範囲内に維持される。
【００２１】
給湯装置１０について説明する。
図１に示されているように、給湯装置１０は、貯湯槽２０、ミキシングユニット２４、補助熱源機２２、これらを連通する複数の経路、コントローラ２１等を備えている。
貯湯槽２０の底部には、貯湯槽２０に水道水を給水する給水経路２６が接続されている。給水経路２６の入口２６ａの近傍には、減圧弁２８が装着されている。減圧弁２８の下流側の給水経路２６と、ミキシングユニット２４の給水入口２４ａは、ミキシングユニット給水経路３０によって接続されている。減圧弁２８は、貯湯槽２０とミキシングユニット２４への給水圧力を所定の調圧値に調整する。貯湯槽２０内の温水が減少したり、ミキシングユニット２４の給水入口２４ａが開いたりすると、減圧弁２８の下流側圧力が低下する。減圧弁２８は、下流側圧力が低下すると開き、その圧力を調圧値に維持しようとする。このため、貯湯槽２０内の温水が減少すると、貯湯槽２０に水道水が給水される。ミキシングユニット２４の給水入口２４ａが開くと、ミキシングユニット２４に水道水が給水される。
貯湯槽２０の上部には出口部２０ａが設けられており、さらにその上にリリーフ弁３１が装着されている。リリーフ弁３１の開弁圧力は、減圧弁２８の調圧値よりも僅かに大きく設定されている。減圧弁２８の調圧が不能になった場合には、リリーフ弁３１が開き、貯湯槽２０内の圧力が耐圧々力を超えてしまうのを防止する。リリーフ弁３１には、圧力開放経路３２の一端３２ａが接続されている。圧力開放経路３２の他端３２ｂは、貯湯槽２０の外部に開放されている。
貯湯槽２０の底部と、圧力開放経路３２の他端３２ｂ近傍は、排水経路３３によって接続されている。排水経路３３の途中には、手動で開閉可能な排水弁３４が装着されている。排水弁３４を開くと、貯湯槽２０内の水が排水経路３３と圧力開放経路３２を通って外部に排水される。
【００２２】
コントローラ２１は、ＣＰＵ、ＲＯＭ、ＲＡＭ等を備えており、ＣＰＵがＲＯＭに格納されている制御プログラムを処理することにより、給湯装置１０を制御する。ＲＯＭには、シャワーやその他の給湯栓の流量等、各種演算に必要なデータが記憶されている。ＲＡＭには、コントローラ２１に入力される各種信号や、ＣＰＵが処理を実行する過程で生成される種々のデータが一時的に記憶される。
コントローラ２１には、リモコン２３が接続されている。図４等に示すように、リモコン２３には、給湯装置１０を操作するためのスイッチやボタン、液晶の表示器２３ａ等が設けられている。表示器２３ａで表示される情報については、後に詳述する。
【００２３】
図１に示すように、貯湯槽２０は、循環経路１２８（循環復路１２８ａ、循環往路１２８ｂ）によって発電ユニット１１０と接続されている。循環復路１２８ａは、貯湯槽２０の上部に接続されている。循環往路１２８ｂは、貯湯槽２０の下部に接続されている。循環往路１２８ｂの途中には、循環ポンプ４０が装着されている。
循環ポンプ４０が作動すると、貯湯槽２０の底部から温水が吸出される。貯湯槽２０から吸出された温水は、循環往路１２８ｂを流れてから発電ユニット１１０の熱交換器１１６、１１８を通過する。熱交換器１１６、１１８を通過した温水は、加熱されて温度が上昇する。温度が上昇した温水は、循環復路１２８ａを流れて貯湯槽２０の上部に戻る。このように、貯湯槽２０の底部から吸出された温水が、発電ユニット１１０の熱交換器１１６、１１８によって加熱されてさらに高温になり、貯湯槽２０の上部に戻される循環が行われることにより、貯湯槽２０に高温の温水が貯えられる。貯湯槽２０内の温度が低い状態（貯湯槽２０がフルに蓄熱されていない状態）で、貯湯槽２０に発電ユニット１１０から高温の温水が供給されると、その供給が貯湯槽２０の上部に行われることから、貯湯槽２０に貯められている温水の上部に、高温の温水層（温度成層）が形成される。貯湯槽２０の深さ方向に沿った温水の温度は、温度成層よりも深くなると急激に低下する。貯湯槽２０に高温の温水の供給が継続されると、温度成層の厚さ（深さ）は次第に大きくなり、貯湯槽２０がフルに蓄熱された状態では、貯湯槽２０の全体に高温の温水が貯まった状態になる。温度成層が形成されることにより、貯湯槽２０にフルに蓄熱が行われていなくても、貯湯槽２０の最上部に設けられている出口部２０ａからは、高温の温水が送り出される。
循環往路１２８ｂの途中には、貯湯槽２０から吸出された温水の温度を検出する往路サーミスタ４４が装着されている。循環復路１２８ａの途中には、貯湯槽２０に戻される温水の温度を検出する復路サーミスタ４５が装着されている。往路サーミスタ４４と復路サーミスタ４５の検出信号は、コントローラ２１に出力される。
【００２４】
貯湯槽２０には、上部サーミスタ３５と中間部サーミスタ３９と下部サーミスタ３６が設けられている。上部サーミスタ３５は、貯湯槽２０の上部温度を検出する。中間部サーミスタ３９は、貯湯槽２０の中間部温度を検出する。下部サーミスタ３６は、貯湯槽２０の下部温度を検出する。上部サーミスタ３５と中間部サーミスタ３９と下部サーミスタ３６の検出信号は、コントローラ２１に出力される。
ミキシングユニット２４は、温水入口２４ｃ、混合温水出口２４ｂ、第１水量センサ６７、温水入口サーミスタ５０、給水サーミスタ４８、混合温水出口サーミスタ５４、ハイカットサーミスタ５５、および既に説明した給水入口２４ａを有している。貯湯槽２０の出口部２０ａとミキシングユニット２４の温水入口２４ｃは、温水経路４２によって接続されている。第１水量センサ６７は、混合温水出口２４ｂから流出する温水の流量を検出する。温水入口サーミスタ５０は、温水入口２４ｃに流入する温水の温度を検出する。給水サーミスタ４８は、給水入口２４ａに流入する水道水の温度を検出する。混合温水出口サーミスタ５４とハイカットサーミスタ５５は、混合温水出口２４ｂから流出する温水の温度を検出する。第１水量センサ６７、温水入口サーミスタ５０、給水サーミスタ４８、混合温水出口サーミスタ５４、ハイカットサーミスタ５５の検出信号は、コントローラ２１に出力される。
【００２５】
コントローラ２１は、混合温水出口サーミスタ５４の検出信号を用いて、温水入口２４ｃ側の開度と、給水入口２４ａ側の開度を変化させる。温水入口２４ｃ側の開度と、給水入口２４ａ側の開度を変化させると、貯湯槽２０からの温水と、水道水（冷水）とのミキシング割合が調整される。貯湯槽２０からの温水と、水道水とのミキシング割合が調整されると、混合温水出口２４ｂから流出する温水の温度が所定値に維持される。コントローラ２１は、ハイカットサーミスタ５５が混合温水出口２４ｂから流出する温水の温度が前記所定値を大きくオーバーしたと検出した場合（すなわち、ミキシングユニット２４が故障した可能性が高い場合）に、温水入口２４ｃを閉じる。温水入口２４ｃを閉じると、温度が高過ぎる温水が、補助熱源機２２に供給されてしまうのが防止される。
ミキシングユニット２４の混合温水出口２４ｂと補助熱源機２２のバーナ熱交換器５２（後述する）は、混合温水経路５１によって接続されている。混合温水経路５１には、第２水量センサ４７が装着されている。第２流量センサ４７の検出信号は、コントローラ２１に出力される。
【００２６】
補助熱源機２２は、バーナ熱交換器５２、６０、給湯バーナ５６、暖房バーナ５７、追焚き熱交換器５８、補給水弁５９、シスターン６１等を備えている。
バーナ熱交換器５２には、混合温水経路５１を経由してミキシングユニット２４から混合温水が流入する。給湯バーナ５６は、ガスを燃焼することによって、バーナ熱交換器５２を加熱する。バーナ熱交換器５２の下流側と給湯栓６４は、給湯栓経路６３によって接続されている。給湯栓６４は、浴室、洗面所、台所等に配置されている（図１では、これら複数の給湯栓６４を１つで代表して図示している）。浴室に配置されている給湯栓６４の１つには、シャワーが接続されている。給湯栓経路６３には、出湯サーミスタ６５が装着されている。出湯サーミスタ６５は、バーナ熱交換器５２から流出する温水の温度を検出する。出湯サーミスタ６５の検出信号は、コントローラ２１に出力される。コントローラ２１は、出湯サーミスタ６５が検出した温水温度に基づいて、給湯バーナ５６の動作を制御する。どのような場合に給湯バーナ５６が動作するかについては、後述する。
【００２７】
補助熱源機２２内の混合温水経路５１の途中から、シスターン入水経路６２が分岐している。シスターン入水経路６２の開放端は、シスターン６１の上部に差し込まれている。シスターン入水経路６２の途中には、補給水弁５９が設けられている。補給水弁５９は、コントローラ２１によって制御され、内蔵したソレノイドに駆動されて開閉する。補給水弁５９が開かれると、ミキシングユニット２４からの温水がシスターン６１に供給される。
シスターン６１内には、水位電極６６が装着されている。水位電極６６は、棒状のハイレベルスイッチ６６ａとローレベルスイッチ６６ｂを有している。ハイレベルスイッチ６６ａの下端は、シスターン６１のハイレベル水位に位置している。ローレベルスイッチ６６ｂの下端は、シスターン６１のローレベル水位に位置している。ハイレベルスイッチ６６ａとローレベルスイッチ６６ｂは、水に触れていると検出信号をコントローラ２１に出力する。コントローラ２１は、水位電極６６からの検出信号によって、シスターン６１の水位がハイレベル水位を超えているか、ハイレベル水位とローレベル水位の間にあるか、ローレベル水位よりも低いかを判別する。コントローラ２１は、水位電極６６からの水位検出信号に基づいて補給水弁５９を開閉制御し、シスターン６１の水位をハイレベル水位とローレベル水位の間に維持する。
【００２８】
シスターン６１の底部には、シスターン出水経路６８の一端が接続されている。シスターン出水経路６８の途中には、暖房ポンプ６９が装着されている。暖房ポンプ６９は、コントローラ２１によって制御される。シスターン出水経路６８の他端とバーナ熱交換器６０の上流端は、バーナ上流経路７１によって接続されている。バーナ上流経路７１には、内部を流れる温水の温度を検出する暖房サーミスタ７２が装着されている。暖房サーミスタ７２の検出信号は、コントローラ２１に出力されるまた、シスターン出水経路６８の他端には、低温水経路７０も接続されている。
暖房バーナ５７は、ガスを燃焼してバーナ熱交換器６０を加熱する。バーナ熱交換器６０の下流とシスターン６１は、高温水経路７３によって接続されている。高温水経路７３には、上流側から順に、高温サーミスタ７４、暖房端末熱動弁７５、暖房端末機７６が装着されている。
高温サーミスタ７４は、高温水経路７３を流れる温水の温度を検出する。高温サーミスタ７４の検出信号は、コントローラ２１に出力される。
【００２９】
暖房端末機７６は、熱交換器７６ｂと、操作スイッチ７６ａと、電動ファン（図示省略）を備えている。熱交換器７６ｂは、その周囲の空気と、高温水経路７３を流れる温水との間で熱交換を行う。操作スイッチ７６ａは、暖房端末熱動弁７５とコントローラ２１に接続されている。
暖房端末熱動弁７５は、膨張エレメントと、膨張エレメントと機械的に連結された開閉弁を内蔵している。暖房端末機７６の操作スイッチ７６ａがオンにされると、暖房端末熱動弁７５の膨張エレメントに通電が行われる。通電された膨張エレメントは高温になって膨張する。膨張した膨張エレメントは開閉弁を駆動し、これによって暖房端末熱動弁７５が開く。また、操作スイッチ７６ａがオンにされると、コントローラ２１は、暖房ポンプ６９を作動させる。このように、操作スイッチ７６ａがオンにされて、暖房端末熱動弁７５が開くとともに、暖房ポンプ６９が作動すると、シスターン６１から温水が吸い出される。コントローラ２１は、暖房サーミスタ７２と高温サーミスタ７４が検出した温水温度に基づいて暖房バーナ５７を制御し、バーナ熱交換器６０から流出する温水の温度を所定範囲に維持する。暖房端末機７６の電動ファンは、操作スイッチ７６ａがオンにされると回転し、熱交換器７６ｂに空気を吹付ける。熱交換器７６ｂに吹付けられた空気は、熱交換器７６ｂを介して温水と熱交換して加熱される。加熱されて温度が高くなった空気は、暖房端末機７６から吹き出し、部屋を暖房する。熱交換器７６ｂを通過した温水の温度は、空気によって熱を奪われて（熱交換して）低下する。温度が低下した温水は、高温水経路７３を流れてシスターン６１に戻る。
【００３０】
高温水経路７３の高温サーミスタ７４の下流側と、高温水経路７３のシスターン６１との接続部の上流側は、追焚き経路７７によって接続されている。追焚き経路７７は、追焚き熱交換器５８を通過している。追焚き経路７７の追焚き熱交換器５８の上流側には、追焚き熱動弁７８が装着されている。追焚き熱動弁７８は、コントローラ２１によって制御される。
浴槽７９には、吸出口７９ａと供給口７９ｂが設けられている。吸出口７９ａと供給口７９ｂは、風呂循環経路８０によって接続されている。風呂循環経路８０は、追焚き熱交換器５８を通過している。上述したように、追焚き経路７７も追焚き熱交換器５８を通過している。このため、追焚き熱交換器５８では、風呂循環経路８０と追焚き経路７７を流れる温水間で熱交換が行われる。風呂循環経路８０の追焚き熱交換器５８の上流側には、風呂水位センサ８１、風呂循環ポンプ８２、風呂水流スイッチ８４が装着されている。風呂循環ポンプ８２は、コントローラ２１によって制御される。風呂水位センサ８１、風呂水流スイッチ８４は、コントローラ２１に検出信号を出力する。風呂水位センサ８１は、水圧を検出する。コントローラ２１は、風呂水位センサ８１が検出した水圧から、浴槽７９に張られている湯の水位を推定する。風呂水流スイッチ８４の検出信号は、風呂循環経路８０に水流があるか否かの判別に用いられる。
風呂循環経路８０の追焚き熱交換器５８の下流側には、風呂入口サーミスタ９７が設けられている。風呂入口サーミスタ９７は、浴槽７９に湯張りされる温水の温度を検出する。風呂循環経路８０の風呂水位センサ８１の上流側には、浴槽７９から吸出された温水の温度を検出する風呂出口サーミスタ８５が装着されている。風呂入口サーミスタ９７と風呂出口サーミスタ８５の検出信号は、コントローラ２１に出力される。
【００３１】
暖房バーナ５７と暖房ポンプ６９が作動している状態で追焚き熱動弁７８が開くと、温水が追焚き経路７７に流入して追焚き熱交換器５８を通過する。風呂循環ポンプ８２が作動すると、温水が浴槽７９の吸出口７９ａから吸出され、風呂循環経路８０を流れて供給口７９ｂから再び浴槽７９に戻る循環が行われる。風呂循環経路８０を流れる温水は、追焚き熱交換器５８で追焚き経路７７を流れる温水によって加熱され、これによって浴槽７９の湯が追焚きされる。
【００３２】
給湯栓経路６３の途中と、風呂循環経路８０の風呂循環ポンプ８２の下流側とを接続する湯張り経路２５が設けられている。湯張り経路２５には、ソレノイド駆動タイプの注湯弁２７と、湯張り量センサ８３が装着されている。注湯弁２７は、コントローラ２１によって制御され、湯張り経路２５を開閉する。湯張り量センサ８３は、湯張り経路２５を流れて浴槽７９に供給される水量を検出する。湯張り量センサ８３の検出値はコントローラ２１に出力され、浴槽７９への湯張りがどの程度行われたかを推定するのに用いられる。
浴槽７９に湯を張るときには、注湯弁２７が開かれ、補給水弁５９が閉じられる。注湯弁２７が開かれ、補給水弁５９が閉じられると、ミキシングバルブ２４からの温水が給湯栓経路６３から湯張り経路２５を経て風呂循環経路８０に流入する。ミキシングバルブ２４からの温水の温度が低い場合には、給湯バーナ５６が作動する。風呂循環経路８０に流入した温水は、吸出口７９ａと供給口７９ｂから浴槽７９に供給され、浴槽７９を湯張りする。このときには、風呂循環ポンプ８２は駆動されず、湯張り経路２５に加わっている水圧によって浴槽７９への湯張りが行われる。
【００３３】
三方弁８６は、Ａポート８６ａ、Ｂポート８６ｂ、Ｃポート８６ｃを備えている。三方弁８６は、コントローラ２１に制御されて、Ａポート８６ａとＣポート８６ｃを連通させるか、Ｂポート８６ｂとＣポート８６ｃを連通させるかを切替える。
シスターン出水経路６８と三方弁８６のＣポート８６ｃは、低温水経路７０によって接続されている。低温水経路７０の上流部には、床暖房サーミスタ９４が装着されている。床暖房サーミスタ９４は、低温水経路７０を流れる温水の温度を検出する。床暖房サーミスタ９４の検出信号は、コントローラ２１に出力される。低温水経路７０は、途中で２つの低温水分岐経路７０ａ、７０ｂに分岐している。低温水分岐経路７０ａ、７０ｂは、床暖房機９１を通過している。低温水分岐路７０ａ、７０ｂの床暖房機９１の上流側には、それぞれ床暖房熱動弁９５、９６が設けられている。床暖房熱動弁９５、９６は、コントローラ２１によって制御される。低温水分岐経路７０ａ、７０ｂは、床暖房機９１の下流側で合流して、再び低温水経路７０になる。
床暖房を行う場合には、リモコン２３を操作する。すると、床暖房熱動弁９５、９６が開き、低温水分岐経路７０ａ、７０ｂを通って温水が床暖房機９１に導かれ、床が暖められる。リモコン２３を操作して、床暖房熱動弁９５、９６のいずれを開くかを選択することにより、床を部分的に暖めることもできる。
三方弁８６のＢポート８６ｂと、高温水経路７３の暖房端末機７６の下流側は、低温水戻り経路８７によって接続されている。低温水戻り経路８７には、低温戻りサーミスタ８９が装着されている。低温水戻りサーミスタ８９は、低温水戻り経路８７を流れる温水の温度を検出する。低温水戻りサーミスタ８９の検出信号は、コントローラ２１に出力される。
三方弁８６のＡポート８６ａと、低温水戻り経路８７の途中とを接続する貯湯槽経路８８が設けられている。貯湯槽経路８８には、貯湯槽２０の上部を通過する熱交換コイル部８８ａが形成されている。
【００３４】
コントローラ２１は、床暖房サーミスタ９４と上部サーミスタ３５が検出した温度を比較し、その結果によって三方弁８６を切替える。具体的には、床暖房サーミスタ９４が検出した温度よりも上部サーミスタ３５が検出した温度の方が低い場合には、三方弁８６のＢポート８６ｂとＣポート８６ｃが連通するように切替える。Ｂポート８６ｂとＣポート８６ｃを連通すると、低温水経路７０からの温水は、貯湯槽経路８８をバイパスし、低温水戻り経路８７と高温水経路７３を流れてシスターン６１に戻る。シスターン６１に戻った温水は、再びシスターン出水経路６８に吸込まれる。床暖房サーミスタ９４が検出した温度よりも上部サーミスタ３５が検出した温度の方が高い場合には、三方弁８６のＡポート８６ａとＣポート８６ｃが連通される。Ａポート８６ａとＣポート８６ｃが連通すると、低温水経路７０からの温水は、貯湯槽経路８８を流れる。貯湯槽経路８８を流れる温水は、熱交換コイル部８８ａで貯湯槽２０の上部に貯められている温水によって加熱され、温度が上昇する。温度が上昇した温水は、低温水戻り経路８７と高温水経路７３を流れてシスターン６１に戻される。すなわち、貯湯槽２０の上部に貯められている温水が貯湯槽経路８８の熱交換コイル部８８ａを加熱することができる場合にのみ、貯湯槽経路８８に温水が導かれる。
【００３５】
本給湯装置１０では、リモコン２３で利用者が要求する温水温度を設定すると、表示器２３ａで、貯湯槽２０の貯湯から、その設定温度でどれだけの混合温水量が利用可能であるかが表示される。以下、この表示を実現する構成について説明する。
【００３６】
図２のグラフは、ある１日について、給湯装置１０に対して発生した温水需要を、需要があった時間帯毎に積算した量と、給湯装置１０の貯湯槽２０に蓄熱された蓄熱量（水道水温度から加熱されて蓄えられた蓄熱量）を示している。グラフの横軸は時刻であり、縦軸は積算温水需要量（ｋＪ）と蓄熱量（ｋＪ）である。積算温水需要量は、実線で示されている。実線で囲まれた網掛け部の底辺の長さは、温水需要が継続した時間の長さに対応している。蓄熱量は、点線で示されている。ｃ１〜ｃ６は、この日に利用者が表示器２３ａの表示を確認した時点や、温水需要が発生している時間帯のある時点を示している。
温水需要が発生して貯湯槽２０の温水が消費され、その積算温水需要量が蓄熱量の増加を上回ると、貯湯槽２０の蓄熱量は減少する。例えば、図２では、蓄熱量はｃ４の時点でピークに達している。このとき、温水需要１５２が発生して蓄熱量は減少するが、温水需要１５２の積算量が小さいので、貯湯槽２０の蓄熱量は温水需要１５２を上回ったまま残存する。また、ｃ５の時点では、温水需要１５４が発生して蓄熱量は減少し、さらにｃ６の時点で新たに温水需要１５５が発生して蓄熱量が減少し続ける。
図３は、図２のグラフを、具体的な時刻と数値で表した対応表である。ここでは、温水需要が発生した時間帯のみが抽出されて示されている。時間帯毎の積算温水需要量（ｋＪ）と、その時間帯において発電熱から回収して貯湯槽２０に蓄えられた回収熱量（ｋＪ）と、蓄熱量（ｋＪ）が示されている。例えば、最初に温水需要が発生した時間帯（５：５２（ｃ１の時点）から５：５８）では、その間の積算温水需要量が３１１７（ｋＪ）であり、回収熱量が１８４（ｋＪ）であり、蓄熱量が５：５２では２９３３（ｋＪ）であったものが５：５８では０（ｋＪ）に減少したことが示されている。
【００３７】
本実施例では、温水需要は、風呂、シャワー、その他の給湯栓（以下、単に「給湯栓」という）の温水利用箇所で発生する。各温水利用箇所での温水需要量は、下式のように求められる。
風呂での温水需要量＝浴槽容積×（設定温度−給水温度）×４．１９；
シャワーでの温水需要量＝単位時間当りシャワー給水量×利用時間×（設定温度−給水温度）×４．１９；
給湯栓での温水需要量＝単位時間当り給湯栓給水量×利用時間×（設定温度−給水温度）×４．１９；
上式の内の「４．１９」は、水の比熱（ｋＪ／（リットル・Ｋ））である。
本実施例では、「浴槽容積」は１５０（リットル）、「単位時間当りシャワー給水量」は１０（リットル／分）、「単位時間当り給湯栓給水量」は６（リットル／分）である。これらの値は予め記憶されている。
【００３８】
また、蓄熱量は、上部サーミスタ３５、中間部サーミスタ３９、下部サーミスタ３６、給水サーミスタ４８の検出値（以下、「給水温度」という）と、貯湯槽２０の上部の容積（以下、「貯湯槽上部容積」と言う）と、貯湯槽２０の中間部の容積（以下、「貯湯槽中間部容積」と言う）と、貯湯槽２０の下部の容積（以下、「貯湯槽下部容積」と言う）とを用いて、下式から求めることができる。
蓄熱量＝｛（上部サーミスタ検出値−給水温度）×貯湯槽上部容積
＋（中間部サーミスタ検出値−給水温度）×貯湯槽中間部容積
＋（下部サーミスタ検出値−給水温度）×貯湯槽下部容積｝×４．１９；
この蓄熱量は時々刻々と計算されて記憶されていく。
【００３９】
以下、図２及び図３で示された時間帯における積算温水需要量と回収熱量と蓄熱量の関係、及びリモコン２３の表示器２３ａで表示される情報について説明をする。
以下では、（１）５：５２（ｃ１の時点）から５：５８と、（２）６：４１（ｃ２の時点）から６：５０と、（３）１９：３９（ｃ５の時点）から２０：００の3つの時間帯を取上げて説明する。
【００４０】
（１）５：５２（ｃ１の時点）から５：５８
図２に示すように、５：５２（ｃ１の時点）では最初の温水需要が発生する。このとき、利用者は洗顔のためにリモコン２３の給湯運転スイッチをＯＮしており、表示器２３ａの画面がＯＮとなる。利用者は、貯湯槽２０に貯湯されている温水を利用できるか否かを、表示器２３ａで確認する。
貯湯槽２０に蓄えられている蓄熱量から設定温度で利用可能な混合温水量は、下式から求めることができる。
利用可能混合温水量＝蓄熱量÷４．１９÷（設定温度−給水温度）；
図３から５：５２（ｃ１の時点）での蓄熱量は２９３３（ｋＪ）であり、図４に示すように、利用者が設定温度を４０℃とし、このときの給水温度が２０℃であれば、利用可能な混合温水量は次の値になる。
利用可能混合温水量＝２９３３÷４．１９÷（４０−２０）＝３５．０（リットル）；
図４では、３５（リットル）の湯が利用可能であることが表示されている。
図４に示すように、表示器２３ａでは、利用可能な混合温水量で貯められる風呂の水位と、シャワーの利用可能時間と、給湯栓の利用可能時間が、それぞれ文字とグラフィックで表示される。利用可能な温水量で貯められる風呂の水位と、シャワーの利用可能時間と、給湯栓の利用可能時間は、それぞれ下式から求めることができる。
風呂水位＝利用可能混合温水量÷浴槽容積×１０
シャワー利用可能時間＝利用可能混合温水量÷単位時間当りシャワー給水量；
給湯栓利用可能時間＝利用可能混合温水量÷単位時間当り給湯栓給水量；
上記の利用可能混合温水量からは、それぞれ次のような値が求められる。
風呂水位＝３５．０÷１５０×１０＝２．３；
シャワー利用可能時間＝３５．０÷１０＝３．５（分）；
給湯栓利用可能時間＝３５．０÷６＝５．８（分）；
図４では、３５（リットル）の湯では、風呂が水位２まで貯められ、シャワーが４分利用可能であり、給湯栓が６分利用可能であることが示されている。給湯栓を利用する洗顔では、６分までなら貯湯槽２０の湯を利用可能であることがわかる。
【００４１】
なお、貯湯槽２０に蓄えられている蓄熱量は、回収熱量が加えられて増加し、温水需要が発生すれば減少する等、時々刻々と変化する。したがって表示器２３ａでの表示も、蓄熱量の変動に伴って時々刻々と変化する。例えば５：５２から１分経過した５：５３では、回収熱量が追加された蓄熱量よりも温水需要量が上回って蓄熱量が減少し、５：５２での表示よりも少ない利用可能混合温水量と利用可能時間が表示される。
以下でも同様に、表示器２３ａでの表示は、蓄熱量の変動に伴って時々刻々と変化する。
【００４２】
また、シャワーや給湯栓の実際の単位時間当りの給水量は、利用者が栓を開閉する程度によって決まり、予め記憶されている値と異なる場合がある。第２水量センサ４７は、シャワーや給湯栓の給水量を検知しており、シャワーや給湯栓で混合温水の利用が開始されると、実際の単位時間当りの給水量を知ることができる。本実施例では、シャワーや給湯栓で混合温水の利用が開始されると、第２水量センサ４７が検知した単位時間当りの給水量を利用して、利用可能時間を計算する。したがって、検知された単位時間当りの給水量が変動すれば、計算される利用可能時間も変化する。また、表示器２３ａでの表示も、単位時間当りの給水量の変動に伴って変化する。
例えば５：５２から５：５５までの３分間は４（リットル／分）で利用され、５：５５から５：５６までの１分間は８（リットル／分）で利用されたとすると、５：５５において計算され表示される給湯栓利用可能時間は、
給湯栓利用可能時間＝（３５−４×３）÷４＝５．８（分）
であり、５：５６において計算され表示される給湯栓利用可能時間は、
給湯栓利用可能時間＝（３５−４×３−８）÷８＝１．９（分）
となる。
【００４３】
利用者は、給湯栓を５：５２（ｃ１の時点）から５：５８まで６分強（６．２分）利用した。ここでは、実際の単位時間当りの給水量は、前半の３．１分は４（リットル／分）であり、後半の３．１分は８（リットル／分）であったとする。上記式より、この時間帯での温水需要量は次の値になる。
給湯栓での温水需要量＝４×３．１×（４０−２０）×４．１９
＋８×３．１×（４０−２０）×４．１９
≒３１１７（ｋＪ）；
この値が図３に示されている。
これに対し、５：５２での貯湯槽２０での蓄熱量は２９３３（ｋＪ）であり、５：５２から５：５８までは回収熱量が１８４（ｋＪ）だけ発生したため、蓄熱量は「２９３３＋１８４＝３１７７（ｋＪ）」まで増加するはずである。しかしながら、温水需要量（３１１７（ｋＪ））が増加した蓄熱量（３１１７（ｋＪ））と同じ値であるため、５：５８に蓄熱量は使い切られて一旦０となる。
【００４４】
（２）６：４１（ｃ２の時点）から６：５０
図３に示すように、６：４１（ｃ２の時点）では、貯湯槽２０での蓄熱量が２５１４（ｋＪ）に回復している。このとき利用者が朝食の後片付けのために、リモコン２３の給湯運転スイッチをＯＮし、貯湯槽２０に貯湯されている温水を利用できるか否かを、表示器２３ａで確認する。
図５に示すように設定温度を３８℃とし、このときの給水温度が２０℃であれば、利用可能な混合温水量は次の値になる。
利用可能混合温水量＝２５１４÷４．１９÷（３８−２０）≒３３．３（リットル）；
図５では、３３（リットル）の湯が利用可能であることが表示されている。
また、利用可能な混合温水量で貯められる風呂の水位と、シャワーの利用可能時間と、給湯栓の利用可能時間は、それぞれ次の値になる。
風呂水位＝３３．３÷１５０×１０≒２．２；
シャワー利用可能時間＝３３．３÷１０≒３．３（分）；
給湯栓利用可能時間＝３３．３÷６≒５．６（分）；
図５では、３３（リットル）の湯では、風呂が水位２まで貯められ、シャワーが３分利用可能であり、給湯栓が約６分利用可能であることが示されている。給湯栓を利用する後片付けでは、貯湯槽２０の湯を約６分利用可能なことがわかる。
【００４５】
ここで利用者が後片付けに手間取って、給湯栓を６：４１（ｃ２の時点）から６：５０まで９分弱（８．９分）利用する。また、このときの実際の単位時間当りの給水量は６（リットル／分）であったとする。すると、この時間帯での温水需要量は次の値になる。
給湯栓での温水需要量＝６×８．９×（３８−２０）×４．１９≒４０２７（ｋＪ）；
この値が図３に示されている。
６：４１での貯湯槽２０での蓄熱量は２５１４（ｋＪ）であり、６：４１（ｃ２の時点）から６：５０までは回収熱量が２８２（ｋＪ）だけ発生したため、蓄熱量は「２５１４＋２８２＝２７９６（ｋＪ）」まで増加する。一方、温水需要量は４０２７（ｋＪ）であり、増加した蓄熱量（２７９６（ｋＪ））を上回る。したがって６：５０では蓄熱量は使い切られて０となる。
このとき蓄熱量は「４０２７−２７９６＝１２３１（ｋＪ）」だけ不足する。このように蓄熱量の不足が起こるときは、コントローラ２１が給湯バーナ５６を作動させてバーナ熱交換器５２を加熱し、設定温度を維持する。
【００４６】
（３）１９：３９（ｃ５の時点）から２０：００
１９：３９（ｃ５の時点）では、利用者は風呂の湯張りを開始するため、リモコン２３の給湯運転スイッチをＯＮする。図３に示すように、この時刻での蓄熱量は３６０００（ｋＪ）である。
図６に示すように設定温度を４２℃とし、このときの給水温度が２０℃であれば、利用可能な混合温水量は次の値になる。
利用可能混合温水量＝３６０００÷４．１９÷（４２−２０）≒３９０．５（リットル）；
図６に示すように、表示器２３ａでは３９１（リットル）の湯が利用可能であることが表示される。
また、利用可能な混合温水量で貯められる風呂の水位と、シャワーの利用可能時間と、給湯栓の利用可能時間は、それぞれ次の値になる。
風呂水位＝３９０．５÷１５０×１０≒２６．０；
シャワー利用可能時間＝３９０．５÷１０≒３９．１（分）；
給湯栓利用可能時間＝３９０．５÷６≒６５．１（分）；
なお、風呂水位は計算上２５．８であるが、最高水位（満杯の水位）は１０であるため、１０に補正される。
また、風呂水位が計算上１０を超える場合は、シャワーと給湯栓については、風呂の湯張りをした後にどれくらい利用可能であるかも併せて表示される。
図６では、利用可能な混合温水量の３９１（リットル）のうち、１５０（リットル）を浴槽に利用すると、残りの２４１（リットル）からシャワーを２４分利用可能であり、給湯栓を４１分利用可能であることが示されている。
【００４７】
ここで、利用者が設定温度を４０℃に変更すると、利用可能混合温水量は次の値になる。
利用可能混合温水量＝３６０００÷４．１９÷（４０−２０）≒４２９．６（リットル）；
図７に示すように、表示器２３ａでは４３０（リットル）の湯が利用可能であることが表示される。
また、利用可能な混合温水量で貯められる風呂の水位と、シャワーの利用可能時間と、給湯栓の利用可能時間は、それぞれ次の値になる。
風呂水位＝４２９．６÷１５０×１０≒２８．６；
シャワー利用可能時間＝４２９．６÷１０≒４３．０（分）；
給湯栓利用可能時間＝４２９．６÷６≒７１．６（分）；
図７では、４３０（リットル）の貯湯では、風呂が水位１０まで貯められ、シャワーが４３分（湯張り後２８分）利用可能であり、給湯栓が７２分（湯張り後４７分）利用可能であることが示されている。
このように利用者が設定温度を変更すると、利用可能混合温水量が変化する。それと共に、各温水利用箇所での利用可能時間も変化する。
【００４８】
１９：３９（ｃ５の時点）から２０：００の湯張りのための温水需要量は、次の値になる。
風呂での温水需要量＝１５０×（４２−２０）×４．１９≒１３８２７（ｋＪ）； 
この値が図３に示されている。
１９：３９（ｃ５の時点）での蓄熱量は３６０００（ｋＪ）であり、１９：３９の時点）から２０：００までは回収熱量が６４５（ｋＪ）だけ発生したため、蓄熱量は「３６０００＋６４５＝３６６４５（ｋＪ）」まで増加する。この蓄熱量は、温水需要量（１３８２７（ｋＪ））を上回る。したがって、図２及び図３に示すように、蓄熱量は減少するものの、まだ残存している。
【００４９】
以上に説明したように、本実施例によれば、利用者が設定した温度では、貯湯槽の貯湯からどれだけの混合温水量が利用可能であるかが表示される。また、その混合温水量で貯められる風呂の水位や、シャワーの利用可能時間や、給湯栓の利用可能時間も併せて表示される。
これらの表示から、利用者は、省エネルギ効果を損ねることなく温水を利用することが可能となる。
【００５０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
・本実施例では、発電ユニットとして燃料電池方式を採用していたが、これに限られるものではない。例えばエンジン駆動形式、太陽光発電方式等、どのような発電ユニットを採用してもよい。
・本実施例では、蓄熱量は、サーミスタ検出値と給水温度と貯湯槽容積に基づいて算出していたが、これに限られるものではない。例えば発電ユニットの運転状態から得られる発熱量（回収熱量）と熱使用量との差分として求める等、どのような算出方式を採ってもよい。
・本実施例では、表示器での文字表示とイメージ表示を採用していたが、これらに限られるものではない。例えばランプ表示や音声表示等、どのような表示形態を採ってもよい。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００５１】
【図１】給湯装置の系統図。
【図２】温水需要量と蓄熱量の変化を示す図。
【図３】時間帯毎の温水需要量と回収熱量と蓄熱量を示す表。
【図４】５：５２から５：５８の時間帯での表示例を示す図。
【図５】６：４１から６：５０の時間帯での表示例を示す図。
【図６】１９：３９から１９：２０の時間帯での表示例を示す図。
【図７】１９：３９から１９：２０の時間帯での表示例を示す図。
【符号の説明】
【００５２】
１０：給湯装置
２０：蓄熱槽、２０ａ：出口部
２１：コントローラ
２２：補助熱源機
２３：リモコン
２４：ミキシングユニット、２４ａ：給水入口、２４ｂ：混合温水出口、２４ｃ：温水入口
２５：湯張り経路
２６：給水経路、２６ａ：入口
２７：注湯弁
２８：減圧弁
３０：ミキシングユニット給水経路
３１：リリーフ弁
３２：圧力開放経路、３２ａ：一端、３２ｂ：他端
３３：排水経路
３４：排水弁
３５：上部サーミスタ
３６：下部サーミスタ
３９：中間部サーミスタ
４０：循環ポンプ
４２：温水経路
４４：往路サーミスタ
４５：復路サーミスタ
４７：第２水量センサ
４８：給水サーミスタ
５０：温水入口サーミスタ
５１：温水経路
５２：バーナ熱交換器
５４：混合温水出口サーミスタ
５５：ハイカットサーミスタ
５６：給湯バーナ
５７：暖房バーナ
５８：追焚き熱交換器
５９：補給水弁
６０：バーナ熱交換器
６１：シスターン
６２：シスターン入水経路
６３：給湯栓経路
６４：給湯栓
６５：出湯サーミスタ
６６：水位電極、６６ａ：ハイレベルスイッチ、６６ｂ：ローレベルスイッチ
６７：第１水量センサ
６８：シスターン出水経路
６９：暖房ポンプ
７０：低温水経路
７０ａ、７０ｂ：低温水分岐経路
７１：バーナ上流経路
７２：暖房サーミスタ
７３：高温水経路
７４：高温サーミスタ
７５：暖房端末熱動弁
７６：暖房端末機、７６ａ：操作スイッチ、７６ｂ：熱交換器
７７：追焚き経路
７８：追焚き熱動弁
７９：浴槽、７９ａ：吸出口、７９ｂ：供給口
８０：風呂循環経路
８１：風呂水位センサ
８２：風呂循環ポンプ
８３：湯張り量センサ
８４：風呂水流スイッチ
８５：風呂出口サーミスタ
８６：三方弁、８６ａ：Ａポート、８６ｂ：Ｂポート、８６ｃ：Ｃポート
８７：低温水戻り経路
８８：蓄熱槽経路、８８ａ：熱交換コイル部
８９：低温水戻りサーミスタ
９１：床暖房機
９４：床暖房サーミスタ
９５、９６：床暖房熱動弁
９７：風呂入口サーミスタ
１１０：発電ユニット
１１２：改質器
１１４：燃料電池
１１６：熱交換器
１１７：熱媒温度センサ
１１８：熱交換器
１１９：熱媒冷却ファン
１２０：熱媒放熱器
１２１：水素ガス供給経路
１２２：熱媒三方弁、１２２ａ：入口、１２２ｂ：出口、１２２ｃ：出口
１２４：熱媒循環経路
１２５：リザーブタンク
１２６：燃焼ガス経路
１２７：熱媒ポンプ
１２８：循環経路、１２８ａ：循環復路、１２８ｂ：循環復路
１２９：冷却経路
１３１：バーナ
【図１】
2006046713.tif 000003
【図２】
2006046713.tif 000004
【図３】
2006046713.tif 000005
【図４】
2006046713.tif 000006
【図５】
2006046713.tif 000007
【図６】
2006046713.tif 000008
【図７】
2006046713.tif 000009